(57)【要約】【課題】収納性向上と紛失防止が同時に可能であり、様々な形状の光学機器に応用が可能であるレンズ保護部材を提供すること。【解決手段】本発明に係るレンズ保護部材は、対物光学系と接眼光学系とを備える光学機器において、対物光学系を保護するレンズ保護部材と接眼光学系を保護するものであり、その一方が他方に取付保持可能であることを特徴とする。又、本発明に係るレンズ保護部材は、対物光学系と接眼光学系とを備える単眼若しくは二眼以上の光学機器において、対物光学系を保護するレンズ保護部材と接眼光学系を保護するものであり、その一方が他方に取付保持可能であることを特徴とする。更に、本発明に係るレンズ保護部材は係止部を有し、光学機器本体若しくは光学機器本体に接続された部品に対して係止可能であることを特徴とする。【選択図】図１
2006145571.tif 000002
【特許請求の範囲】
【請求項１】
対物光学系と接眼光学系とを備える光学機器において、前記対物光学系を保護するレンズ保護部材と前記接眼光学系を保護するレンズ保護部材の一方が他方に取付保持可能であることを特徴とするレンズ保護部材。
【請求項２】
前記光学機器は単眼若しくは二眼以上であることを特徴とする請求項１記載のレンズ保護部材。
【請求項３】
前記レンズ保護部材は係止部を有し、光学機器本体若しくは光学機器本体に接続された部品に対し係止可能であることを特徴とする請求項１又は２記載のレンズ保護部材。
【請求項４】
光軸直交面と光軸平行な外周から成る蓋形状のレンズ保護部材であって、その内面に部分的に光学材の光軸直交面と光軸平行な面とに当接する取付用保持部を３箇所以上設け、嵌合取付状態にて保護対象光学系の最外面レンズに対して外界との通風路を設けたことを特徴とするレンズ保護部材。
【請求項５】
光軸直交面と取付保持部を有する皿形状のレンズ保護部材であって、その光軸直交面と取付保持部に光学材と当接する部分と当接しない部分を設け、嵌合取付状態にて保護対象光学系の最外面レンズに対し外界との通風路を設けたことを特徴とするレンズ保護部材。
【発明の詳細な説明】
【技術分野】
【０００１】
本発明は、対物光学系と接眼光学系とを備える光学機器に使用されるレンズ保護部材に関するものである。
【背景技術】
【０００２】
以下、図面を参照しながら従来のレンズ保護部材について説明する。
【０００３】
図１５は従来の単眼の光学機器におけるレンズ保護部材の取付状態の斜視図、図１６は従来の単眼の光学機器におけるレンズ保護部材の取外し状態の斜視図、図１７は従来の二眼以上の光学機器におけるレンズ保護部材の取付状態の斜視図、図１８は従来の二眼以上の光学機器におけるレンズ保護部材の取外し状態の斜視図、更にその応用例として、図１９は二眼以上の光学機器において二眼以上を一体化したレンズ保護部材の取付状態の斜視図、図２０は二眼以上の光学機器において二眼以上を一体化したレンズ保護部材の取外し状態の斜視図である。
【０００４】
図１５及び図１６において、従来の単眼の光学機器におけるレンズ保護部材の構成としては、対物光学系を保護する対物レンズ保護部材２０１と、接眼光学系を保護する接眼レンズ保護部材２０２で構成されている。これらは単眼の光学機器２０３の対物部、接眼部の外周若しくは内周にそれぞれ嵌合することで取付保持されている。
【０００５】
図１７及び図１８において、従来の二眼以上の光学機器におけるレンズ保護部材の構成としては、対物光学系を保護する複数個の対物レンズ保護部材２０１と、接眼光学系を保護する複数個の接眼レンズ保護部材２０２で構成されている。これらも又単眼の場合と同様に、光学機器２０３の対物部、接眼部の外周若しくは内周にそれぞれ嵌合することで、取付保持されている。
【０００６】
図１９及び図２０において、二眼以上の光学機器における応用的なレンズ保護部材の構成としては、対物光学系を保護する１個若しくは複数個の対物レンズ保護部材２０１と、接眼光学系を保護する１個若しくは複数個の接眼レンズ保護部材２０２で構成されている。これらも又、光学機器２０３の対物部、接眼部の外周若しくは内周にそれぞれ嵌合することによって取付保持されている。
【０００７】
又、フラットタイプの双眼鏡においては、特許文献１に記載されているように、光学機器本体の周囲に沿って外嵌されることで対物光学系と接眼光学系を覆うレンズ保護部材がある。
【０００８】
【特許文献１】特開平９−２６９４５４号公報
【発明の開示】
【発明が解決しようとする課題】
【０００９】
しかしながら、前記従来の構成では、光学機器を使用する際に、図１６や図１８に示すように取り外されたレンズ保護部材は複数個あるため、収納し難く、紛失し易い。図２０のように、二眼以上の光学機器の場合に二眼以上を一体としたレンズ保護部材であっても、対物レンズ保護部材と接眼レンズ保護部材の少なくとも２個のレンズ保護部材を有することになり、紛失し易い。
【００１０】
又、二眼以上を一体とした形状であるが故に形状が大きくなり、収納がより困難である。紛失防止のために係止部を設けているレンズ保護部材もあるが、複数個のレンズ保護部材を光学機器本体若しくは光学機器本体に接続された部品にそれぞれ係止するため、光学機器の使用の妨げになり得る恐れがある。
【００１１】
例えば、特許文献１に記載されているような対物光学系と接眼光学系を同時に保護できるレンズ保護部材があるが、紛失防止に非常に効果的ではあるものの、フラットタイプの双眼鏡以外には応用し難く、特に大型の光学機器においてはレンズ保護部材が大きくなり過ぎて収納し難くなってしまう恐れがある。更に、光学機器の使用を止める際に、雨天等の環境下において最外面レンズが濡れた状態でレンズ保護部材を取り付けると、保護対象光学系の最外面レンズに曇りが発生することがある。
【００１２】
そこで、本発明は、上記従来の問題点を解決するもので、収納性向上と紛失防止が同時に可能であり、様々な形状の光学機器に応用が可能であるレンズ保護部材を提供することを目的とする。
【課題を解決するための手段】
【００１３】
上記目的を達成するため、本発明に係るレンズ保護部材は、対物光学系と接眼光学系とを備える光学機器において、対物光学系を保護するレンズ保護部材と接眼光学系を保護するものであり、その一方が他方に取付保持可能であることを特徴とする。
【００１４】
又、本発明に係るレンズ保護部材は、対物光学系と接眼光学系とを備える単眼若しくは二眼以上の光学機器において、対物光学系を保護するレンズ保護部材と接眼光学系を保護するものであり、その一方が他方に取付保持可能であることを特徴とする。
【００１５】
更に、本発明に係るレンズ保護部材は係止部を有し、光学機器本体若しくは光学機器本体に接続された部品に対して係止可能であることを特徴とする。
【００１６】
又、本発明に係るレンズ保護部材は、光軸直交面と光軸に平行な外周から成る蓋形状をしており、その内面に部分的に光学材の光軸直交面と光軸に平行な面とに当接する取付保持部を３箇所以上有し、光学機器に対し嵌合取付状態にて、保護対象光学系の最外面レンズに対し、外界との通風路を設けたことを特徴とする。
【００１７】
更に、本発明に係るレンズ保護部材は、光軸直交面と取付保持部を有する皿形状をしており、その光軸直交面と取付保持部に光学材と当接する部分と当接しない部分を設け、光学機器に対し嵌合取付状態にて、保護対象光学系の最外面レンズに対し、外界との通風路を設けたことを特徴とする。
【発明の効果】
【００１８】
本発明によれば、光学機器において複数個存在し得るレンズ保護部材をコンパクトに収納し、且つ、光学機器本体或は光学機器本体に接続している部品に係止することで紛失防止となり、又、保護対象光学系最外面から外界への通風路を設けることでレンズ曇り発生を防止することができる。
【発明を実施するための最良の形態】
【００１９】
本発明の実施の形態を添付の図面を参照して以下に詳細に説明する。
【００２０】
先ず、図１〜図７を参照して実施の形態１，４，５についてを説明する。図１は本発明の実施の形態１，５である対物レンズ保護部材の正面図、図２は本発明の実施の形態１，５である対物レンズ保護部材の斜視図である。
【００２１】
対物レンズ保護部材１は、背面に取付保持部２を有し、その取付保持部２の外周２ａは光学機器の対物部に取付保持可能であり、又、その取付保持部の内周２ｂは接眼レンズ保護部材に取付保持可能である。更に、この取付保持部２は、対物部に嵌合取付する際の曇り発生を防ぐために数箇所の切り欠き１４を設けており、最外面対物レンズに対し通風路が確保され雨天での使用時等のレンズ曇り発生を減じる。
【００２２】
図３は本発明の実施の形態１，４である接眼レンズ保護部材の正面図、図４は本発明の実施の形態１，４である接眼レンズ保護部材の斜視図である。
【００２３】
接眼レンズ保護部材５は、内面にリブ状の接眼部用取付保持部６を複数有し、その接眼部用取付保持部６は、光学機器の接眼部に対し、光軸方向の突き当て及び外周に対する摩擦支持部として機能することで、取付保持可能な形状であり、取付保持状態で取付保持部６以外の内面は接眼レンズに対し通風路が確保され、雨天での使用時等のレンズ曇り発生を減じる。
【００２４】
又、接眼レンズキャップ３は、背面に対物レンズ保護部材用の取付保持部７を有し、その対物レンズ保護部材用の取付保持部７は、対物レンズ保護部材に取付保持可能な形状である。本実施の形態では、対物レンズ保護部材１と接眼レンズ保護部材５の材料にウレタンを用いているが、これに限定するものではなく弾性のある材料であれば良い。
【００２５】
図５は対物レンズ保護部材１と接眼レンズ保護部材５を光学機器９に取り付けた状態の斜視図である。
【００２６】
対物レンズ保護部材１の取付保持部の外周２ａは対物レンズ押え環１０のレンズフィルター取付用メネジの凹凸１０ａに嵌合し、取付保持されている。取付保持部の外周２ａの径はレンズフィルター取付用メネジの凹凸１０ａの内径よりも大きく、互いに弾性変形しながら取付保持されている。又、取付保持部の外周２ａはテーパー形状になっている。接眼レンズ保護部材５の接眼部用の取付保持部６は、接眼部の目当てゴム１１に嵌合し、取付保持されている。接眼部用の取付保持部６の内径は接眼部の目当てゴム１１の外径より小さく、互いに弾性変形しながら取付保持されている。又、接眼部用の取付保持部６はテーパー形状になっている。
【００２７】
図６は対物キャップ保護部材１と接眼レンズ保護部材２を取付保持した状態の斜視図、図７は対物キャップ保護部材１と接眼レンズ保護部材２を取付保持した状態の断面図である。
【００２８】
対物レンズ保護部材１の取付保持部の内周２ｂは接眼レンズ保護部材２の対物レンズ保護部材用の取付保持部７に嵌合し、取付保持されている。取付保持部の内周２ｂの径は取付保持部７の外径よりも大きく、互いに弾性変形しながら取付保持されている。又、取付保持部の内周２ｂと取付保持部７は何れもテーパー形状になっている。
【００２９】
次に、図８〜図１２を参照して、実施の形態２に係る単眼の光学機器におけるレンズ保護部材について説明する。
【００３０】
図８は本発明の実施の形態２の１つである単眼の対物レンズ保護部材の正面図、図９は単眼の対物レンズ保護部材の断面図である。対物レンズ保護部材１０１は、背面に取付保持部１０２を有し、その取付保持部１０２の外周１０２ａは光学機器の対物部に取付保持可能であり、又、その取付保持部の内周１０２ｂは接眼レンズ保護部材に取付保持可能である。
【００３１】
図１０は本発明の実施の形態２の１つである単眼の接眼レンズ保護部材の正面図、図１１は単眼の接眼レンズ保護部材の断面図である。
【００３２】
接眼レンズ保護部材１０５は、正面に接眼部用の取付保持部１０６を有し、その接眼部用取付保持部１０６は光学機器の接眼部に取付保持可能な形状である。又、接眼レンズキャップ１０５は、背面に対物レンズ保護部材用の取付保持部１０７を有し、その対物レンズ保護部材用の取付保持部１０７は、対物レンズ保護部材に取付保持可能な形状である。本実施の形態においても、取付保持部の形状や構造は前述の実施形態の場合と同様である。
【００３３】
図１２は対物キャップ保護部材１０１と接眼レンズ保護部材１０２を取付保持した状態の断面図である。
【００３４】
図１〜図１２を参照して、実施の形態３について説明する。
【００３５】
対物レンズ保護部材は、図１の脱着口３にある紐通し穴４、若しくは図８の脱着口１０３にある紐通し穴１０４に紐を通し、光学機器本体或は光学機器本体に接続された部品に係止可能である。又、接眼レンズ保護部材においては、図３の係止部８若しくは図１０の係止部１０８は、光学機器本体に接続されたストラップに係止可能である。
【００３６】
図１３に、紐通し穴４に紐１２を通し、光学機器本体或は光学機器本体に接続する部品に係止可能状態となった対物レンズ保護部材１の斜視図を示す。図１４に、係止部８がストラップ１３に係止状態である接眼レンズ保護部材５の斜視図を示す。又、図６のように対物レンズ保護部材１と接眼レンズ保護部材５が取付保持されて一体となった場合においても、紐通し穴４と係止部８の位相が異なるため、紐通し穴４若しくは係止部８を用いて、光学機器本体若しくは光学機器本体に接続される部品に係止可能である。
【００３７】
上記光学機器は、対物光学系と接眼光学系とを備える双眼鏡や望遠鏡等の光学機器である。
【図面の簡単な説明】
【００３８】
【図１】本発明の実施の形態１，５における対物レンズ保護部材の正面図である。
【図２】本発明の実施の形態１，５における対物レンズ保護部材の断面図である。
【図３】本発明の実施の形態１，４における接眼レンズ保護部材の正面図である。
【図４】本発明の実施の形態１，４における接眼レンズ保護部材の断面図である。
【図５】本発明の実施の形態１における対物レンズ保護部材と接眼レンズ保護部材を光学機器に取り付けた状態の斜視図である。
【図６】本発明の実施の形態１における対物キャップ保護部材と接眼レンズ保護部材を取付保持した状態の斜視図である。
【図７】本発明の実施の形態１における対物キャップ保護部材と接眼レンズ保護部材を取付保持した状態の断面図である。
【図８】単眼鏡における対物レンズ保護部材の正面図である。
【図９】単眼鏡における対物レンズ保護部材の断面図である。
【図１０】単眼鏡における接眼レンズ保護部材の正面図である。
【図１１】単眼鏡における接眼レンズ保護部材の断面図である。
【図１２】単眼鏡における対物キャップ保護部材と接眼レンズ保護部材を取付保持した状態の断面図である。
【図１３】紐通し穴に紐を通し、光学機器本体若しくは光学機器本体に接続する部品に係止可能状態の対物レンズ保護部材の斜視図である。
【図１４】ストラップ係止状態の接眼レンズ保護部材の斜視図である。
【図１５】従来の単眼の光学機器におけるレンズ保護部材の取付状態の斜視図である。
【図１６】従来の単眼の光学機器におけるレンズ保護部材の取外し状態の斜視図である。
【図１７】従来の二眼以上の光学機器におけるレンズ保護部材の取付状態の斜視図である。
【図１８】従来の二眼以上の光学機器におけるレンズ保護部材の取外し状態の斜視図である。
【図１９】二眼以上の光学機器において二眼以上を一体化したレンズ保護部材の取付状態の斜視図である。
【図２０】二眼以上の光学機器において二眼以上を一体化したレンズ保護部材の取外し状態の斜視図である。
【符号の説明】
【００３９】
５，１０１，２０１  対物キャップ保護部材
２，１０２      取付保持部
２ａ，１０２ａ    取付保持部の外周
２ｂ，１０２ｂ    取付保持部の内周
３，１０３      脱着口
４，１０４      通し穴
５，１０５，２０２  接眼キャップ保護部材
６，１０６      接眼部用の取付保持部
７，１０７      対物レンズ保護部材用の取付保持部
８，１０８      係止部
９，２０３      光学機器
１０        対物レンズ押え環
１０ａ        レンズフィルター取付用メネジの凹凸
１１        接眼部の目当てゴム
１２        紐
１３        ストラップ
１４        切り欠き
【図１】
2006145571.tif 000003
【図２】
2006145571.tif 000004
【図３】
2006145571.tif 000005
【図４】
2006145571.tif 000006
【図５】
2006145571.tif 000007
【図６】
2006145571.tif 000008
【図７】
2006145571.tif 000009
【図８】
2006145571.tif 000010
【図９】
2006145571.tif 000011
【図１０】
2006145571.tif 000012
【図１１】
2006145571.tif 000013
【図１２】
2006145571.tif 000014
【図１３】
2006145571.tif 000015
【図１４】
2006145571.tif 000016
【図１５】
2006145571.tif 000017
【図１６】
2006145571.tif 000018
【図１７】
2006145571.tif 000019
【図１８】
2006145571.tif 000020
【図１９】
2006145571.tif 000021
【図２０】
2006145571.tif 000022